(57)【要約】      （修正有）【課題】パスポートのように厚みのある原稿に適した読取り機構や制御、またはキャリアシートを必要としなくても、パスポートに記載された旅券情報を取得できる画像読取装置を提供する。【解決手段】画像読取装置は、画像読取部に向けて搬送する正転方向と、該正転方向とは逆方向の反転方向とを切り替えて搬送可能であり、画像読取部が読み取った画像に所定の識別画像が含まれるときに、反転方向に切り替える。また、画像読取装置の制御手段は、冊子片側頁部分の端部に設けられた所定の識別情報を画像読取手段が読み取ったタイミングに基づいて、搬送手段を逆転駆動に切り替える。【選択図】図９
2019097057.tif 000002
【特許請求の範囲】
【請求項１】
搬送媒体の導入口が設けられた筐体と、
前記導入口に設けられ、搬送媒体を搬送路内に給送する給送手段と、
前記給送手段の下流側で搬送媒体を前記搬送路に沿って搬送する搬送手段と、
前記搬送手段によって搬送される搬送媒体の画像を読み取る画像読取手段と、
前記搬送手段の駆動を制御する制御手段と、を備え、
前記搬送手段は、前記導入口から導入される搬送媒体を前記画像読取手段に向けて搬送する正転駆動と、前記正転駆動と反対の逆転駆動とが切り替え自在に設けられ、
前記制御手段は、前記給送手段によって給送される搬送媒体として見開いた冊子片側頁部分を前記搬送手段の前記正転駆動によって前記画像読取手段側に搬送し、前記画像読取手段が前記冊子片側頁部分の画像を読み取った後、前記搬送手段を前記逆転駆動に切り替えることを特徴とする画像読取装置。
【請求項２】
前記制御手段は、前記冊子片側頁部分の端部に設けられた所定の識別情報を前記画像読取手段が読み取ったタイミングに基づいて、前記搬送手段を前記逆転駆動に切り替えることを特徴とする請求項１に記載の画像読取装置。
【請求項３】
前記冊子片側頁部分の画像に含まれる所定の識別情報をテキストデータとして抽出して外部装置に出力する情報出力手段を備えたことを特徴とする請求項１又は２に記載の画像読取装置。
【請求項４】
前記制御手段は、見開いた冊子の段差部分が前記給送手段に到達する前に前記搬送手段を前記逆転駆動に切り替えることを特徴とする請求項１乃至３のいずれか１項に記載の画像読取装置。
【請求項５】
前記筐体には、搬送媒体の厚さを検知する厚さ検知手段が設けられ、
前記制御手段は、前記厚さ検知手段の検知結果に基づいて、前記搬送手段を前記逆転駆動に切り替えることを特徴とする請求項１乃至３のいずれか１項に記載の画像読取装置。
【請求項６】
前記給送手段は、搬送媒体を給送する給送ローラと、前記給送ローラに接圧されて搬送媒体に対して所定の負荷を発生させる分離部とを有すると共に、接圧状態の前記搬送ローラ及び前記分離部のいずれか一方を他方から離間させることで非接圧状態に切り替え可能に設けられ、
前記画像読取手段に向けて前記冊子片側頁部分を搬送する場合には、前記給送手段を前記非接圧状態に切り替えた後、前記制御手段によって前記搬送手段を前記正転駆動させることを特徴とする請求項１に記載の画像読取装置。
【請求項７】
前記制御手段は、見開いた冊子の段差部分が前記搬送手段に到達する前に前記搬送手段を前記逆転駆動に切り替えることを特徴とする請求項６に記載の画像読取装置。
【請求項８】
前記筐体は、前記給送ローラが設けられた下部ユニットと、前記下部ユニットに対して前記搬送路を開閉自在に設けられると共に前記分離部が前記給送ローラに対向して設けられた上部ユニットとを有し、
前記画像読取手段は、前記上部ユニットに設けられた第１画像読取部と、前記下部ユニットにおいて前記第１画像読取部よりも搬送方向下流側に設けられた第２画像読取部とを有し、
前記第１画像読取部が前記冊子片側頁部分の画像を読み取るようにしたことを特徴とする請求項６又は７に記載の画像読取装置。
【発明の詳細な説明】
【技術分野】
【０００１】
本発明は、シート状の媒体を順次給送するシート給送装置を有する画像読取装置、又はその制御方法及びプログラムに関するものである。
【背景技術】
【０００２】
従来、複写機、ドキュメントスキャナ、ファックスなどに設けられる画像読取装置においては、載置台にセットされたシートを画像読取部に順次給送するためのシート給送装置を備えている。このようなシート給送装置の一例として、原稿を画像読取部に給送する自動原稿給送装置（ＡＤＦ）が知られている。
【０００３】
近年、比較的剛性が高い厚いシート、例えばＩＤカードや厚紙に加え、パスポート(旅券)などの冊子を搬送する要望が増えている（特許文献１参照）。例えば、申請書の身分証明書として、パスポートの旅券情報が記載された面を読み取り、画像を保存して残すことがある。
【先行技術文献】
【特許文献】
【０００４】
【特許文献１】特開２０１７−１０３７００号公報
【発明の概要】
【発明が解決しようとする課題】
【０００５】
ところで、パスポートなどの冊子を見開いてスキャンする場合、見開き面側において折り返しの段差が生じるため搬送が難しい。そのため、従来では、パスポートなどをキャリアシートなどに挟んで搬送していたが、利用者は、パスポートを読取るごとにキャリアシートを使うことになるため、作業効率が悪い。
【課題を解決するための手段】
【０００６】
本発明の画像読取装置は、搬送媒体の導入口が設けられた筐体と、前記導入口に設けられ、搬送媒体を搬送路内に給送する給送手段と、前記給送手段の下流側で搬送媒体を前記搬送路に沿って搬送する搬送手段と、前記搬送手段によって搬送される搬送媒体の画像を読み取る画像読取手段と、前記搬送手段の駆動を制御する制御手段と、を備え、前記搬送手段は、前記導入口から導入される搬送媒体を前記画像読取手段に向けて搬送する正転駆動と、前記正転駆動と反対の逆転駆動とが切り替え自在に設けられ、前記制御手段は、前記給送手段によって給送される搬送媒体として見開いた冊子片側頁部分を前記搬送手段の前記正転駆動によって前記画像読取手段側に搬送し、前記画像読取手段が前記冊子片側頁部分の画像を読み取った後、前記搬送手段を前記逆転駆動に切り替えることを特徴とする。
【発明の効果】
【０００７】
本発明によれば、キャリアシートを使わずに、パスポートのような冊子の片側頁部分を読み取れる画像読取装置を実現できる。
【図面の簡単な説明】
【０００８】
【図１】本発明の実施形態１に係る画像読取装置の断面図。
【図２】図１の画像読取装置の搬送駆動系を示す斜視図。
【図３】図１の画像読取装置の制御ユニットのブロック図。
【図４】図１の画像読取装置における正転搬送を示す断面図。
【図５】図１の画像読取装置における逆転搬送を示す断面図。
【図６】図１の画像読取装置における厚み検知を示す断面図。
【図７】本発明の実施形態に係るパスポートの見開き１ページ目の概略図。
【図８】情報生成部が生成するデータ形式の図。
【図９】本発明の実施形態に係る読み取りの処理手順フローチャート図。
【図１０】本発明の実施形態２に係る画像読取装置の概略断面図。
【発明を実施するための形態】
【０００９】
以下、図面を参照し、本発明を実施の形態に基づいて詳細に説明する。
【００１０】
（実施形態１）
図１は本発明の実施形態に係る画像読取装置Ａの概略図である。
＜読取装装置の構成＞
画像読取装置Ａは、載置台１に積載された一又は複数の搬送媒体Ｓを１つずつ装置内に経路ＲＴにて搬送してその画像を読み取り、排出トレイ２に排出する装置である。読み取る搬送媒体Ｓは、例えば、ＯＡ紙、チェック、小切手、カード類等のシートであり、厚手のシートであっても、薄手のシートであってもよい。カード類は、例えば、保険証、免許証、クレジットカード等を挙げることができる。
【００１１】
搬送媒体Ｓには、また、パスポートなどの冊子も含まれる。冊子を対象とする場合、上述したキャリアシートを用いることができる。キャリアシートに見開き状態の冊子を収容して載置台１に載置することで、冊子がキャリアシートと共に搬送され、その画像を読み取ることができる。ただし、本実施形態によれば、このようなキャリアシートを使わずにパスポート等の冊子の片側頁部分の読み取りを行うことができる。
【００１２】
ここで、パスポートについては、読取ったパスポートの画像を保存しないようにしてもよい。この場合、例えば、旅券番号や氏名、国籍が記入された申請書とパスポートとを読み取り、申請書に入力された旅券番号等とパスポートに記載された情報との照合に利用することができる。
【００１３】
経路ＲＴに沿って搬送媒体Ｓを給送する給送機構としての第１搬送部１０が設けられている。第１搬送部１０は本実施形態の場合、送りローラ（給送ローラ）１１と、送りローラ１１に対向配置される分離ローラ１２と、を備え、載置台１上の搬送媒体Ｓを搬送方向Ｄ１に一つずつ順次搬送する。送りローラ１１は図１における装置筐体の下部ユニット側に設けられており、分離ローラ１２（分離部）は、その送りローラ１１と対向するように、筐体の下部ユニットに対して搬送路を開閉自在に設けられた上部ユニットに設けられている。
【００１４】
送りローラ１１には、モータ等の駆動部３から伝達部５を介して駆動力が伝達され、図中矢印方向（経路ＲＴに沿って搬送媒体Ｓを搬送させる正方向）に回転駆動される。伝達部５は例えば電磁クラッチであり、駆動部３からの送りローラ１１への駆動力を断続する。
ここで、本実施形態の第１搬送部１０は、複数枚の搬送媒体Ｓを１枚ずつ分離するために通常は送りローラ１１と分離ローラ１２とを接圧状態とする。また、本実施形態では、送りローラ１１及び分離ローラ１２の少なくとも何れか一方を他方から離間させるように構成し、パスポートなどの冊子を見開き状態で搬送する場合には、送りローラ１１及び分離ローラ１２の間を離間させて、接圧状態から非接圧状態への切替えを可能としている。本実施形態では、送りローラ１１に対して分離ローラ１２だけを離間させるように構成している。
【００１５】
さらに、本実施形態では、上記の接圧状態（分離可能な給送状態）と非接圧状態（非分離での給送状態）との切り替えは、画像読取装置Ａの筐体において、切替えレバー（不図示）を設け、ユーザが任意に手動で切り替えられるようになっている。なお、外部装置（パソコン）や画像読取装置Ａの操作パネルなどからのユーザ操作によって自動で切り替えられるような駆動機構を備えるようにしてもよい。
【００１６】
駆動部３と送りローラ１１とを接続する伝達部５は、例えば、本実施形態では、通常時において駆動力が伝達される状態とし、搬送媒体Ｓの逆送の場合に駆動力を遮断する。送りローラ１１は伝達部５により駆動力の伝達が遮断されると、自由回転可能な状態となる。なお、このような伝達部５は、送りローラ１１を一方向のみに駆動させる場合には設けなくてもよい。
【００１７】
送りローラ１１に対向配置される分離ローラ１２は、搬送媒体Ｓを１枚ずつ分離するためのローラであり、送りローラ１１に対して一定圧で圧接している。この圧接状態を確保するため、分離ローラ１２は揺動可能に設けると共に送りローラ１１へ付勢されるように構成される。
【００１８】
画像読取装置Ａは、後述する揺動可能な分離ローラ１２の移動幅から、一定以上の厚みのある搬送媒体Ｓを検知することができる。分離ローラ１２は、トルクリミッタ１２ａを介して駆動部３から駆動力が伝達され、実線矢印方向（送りローラ１１の正方向とは逆方向））に回転駆動される。
【００１９】
分離ローラ１２はトルクリミッタ１２ａにより駆動力伝達が規制されるため、送りローラ１１と当接している際は送りローラ１１に連れ回りする方向（破線矢印方向）に回転する。これにより、複数の搬送媒体Ｓが送りローラ１１と分離ローラ１２との圧接部に搬送されてきた際には、一つを残して２つ以上の搬送媒体Ｓが下流に搬送されないようにせき止められる。
【００２０】
なお、本実施形態では分離ローラ１２と送りローラ１１とで分離機構を構成したが、このような分離機構は必ずしも設けなくてもよく、経路ＲＴに搬送媒体Ｓを１つずつ順次給送する給送機構であればよい。また、分離機構を設ける場合においては、分離ローラ１２のような構成の代わりに、搬送媒体Ｓに摩擦力を付与する分離パッドを送りローラ１１に圧接させて、同様の分離作業を持たせるようにしてもよい。
【００２１】
第１搬送部１０の搬送方向下流側にある搬送機構としての第２搬送部２０は、駆動ローラ２１と、駆動ローラ２１に従動する従動ローラ２２とを備え、第１搬送部１０から搬送されてきた搬送媒体Ｓをその下流側へ搬送する。駆動ローラ２１にはモータ等の駆動部４から駆動力が伝達され、図中矢印方向に回転駆動される。
【００２２】
従動ローラ２２は駆動ローラ２１に対して一定圧で圧接し、駆動ローラ２１に連れ回る。この従動ローラ２２は、バネ等の付勢ユニット（不図示）によって駆動ローラ２１に対して付勢された構成としてもよい。
【００２３】
第２搬送部２０は、後述する駆動ローラ２１を正転／逆転に回転させる駆動部４を備える。
【００２４】
このような第２搬送部３０よりも搬送方向下流側にある第３搬送部３０は、駆動ローラ３１と、駆動ローラ３１に従動する従動ローラ３２とを備え、第２搬送部２０から搬送されてきた搬送媒体Ｓを排出トレイ２へ搬送する。つまり、この第３搬送部３０は排出機構として機能する。駆動ローラ３１にはモータ等の駆動部４から駆動力が伝達され、図中矢印方向に回転駆動される。
【００２５】
従動ローラ３２は駆動ローラ３１に対して一定圧で圧接し、駆動ローラ３１に連れまわる。この従動ローラ３２は、バネ等の付勢ユニット（不図示）によって駆動ローラ３１に対して付勢された構成としてもよい。
【００２６】
第２搬送部３０は、後述する駆動ローラ３１を正転／逆転に回転させる駆動部４を備える。
【００２７】
ここで、本実施形態の画像読取装置Ａでは、第２搬送部２０と第３搬送部３０との間に配置される画像読取ユニット（画像読取手段の画像読取部）７０によって画像の読み取りを行うため、第２搬送部２０及び第３搬送部３０は搬送媒体Ｓを定速搬送する。
【００２８】
第２及び第３搬送部２０、３０の搬送速度は常に第１搬送部１０の搬送速度以上とすることで、先行搬送媒体Ｓに後続搬送媒体Ｓが追いついてしまう事態を回避できる。例えば、本実施形態では、第２搬送部２０及び第３搬送部３０による搬送媒体Ｓの搬送速度を、第１搬送部１０による搬送媒体Ｓの搬送速度よりも速くなるように速度制御するようにした。
【００２９】
なお、第２搬送部２０及び第３搬送部３０による搬送媒体Ｓの搬送速度と、第１搬送部１０による搬送媒体Ｓの搬送速度とを同一条件とした場合でも、駆動部３を制御して後続搬送媒体Ｓの給送開始タイミングを間欠的にずらすことにより先行搬送媒体Ｓと後続搬送媒体Ｓとの間に最低限の間隔を形成することも可能である。
【００３０】
第１搬送部１０と第２搬送部２０との間に配置される重送検出センサ４０は、静電気等で紙などの搬送媒体Ｓ同士が密着し、第１搬送部１０を通過してきた場合（つまり重なって搬送される重送状態の場合）に、これを検出するための検出センサ（シートの挙動や状態を検出するセンサ）の一例である。
【００３１】
重送検出センサ４０としては、種々のものが利用可能であるが本実施形態の場合には超音波センサであり、超音波の発信部４１とその受信部４２とを備え、紙等の搬送媒体Ｓが重送されている場合と１つずつ搬送されている場合とで、搬送媒体Ｓを通過する超音波の減衰量が異なることを原理として重送を検出する。
【００３２】
このような重送検出センサ４０よりも搬送方向下流側に配置される媒体検出センサ５０は第２搬送部２０よりも上流側で、第１搬送部１０よりも下流側に配置された上流側の検出センサ（シートの挙動や状態を検出するセンサ）としての一例であり、第１搬送部１０により搬送される搬送媒体Ｓの位置、詳細には、媒体検出センサ５０の検出位置に搬送媒体Ｓの端部が到達又は通過したか否かを検出する。
【００３３】
媒体検出センサ５０としては、種々のものが利用可能であるが、本実施形態の場合には光学センサであり、発光部５１とその受光部５２とを備え、搬送媒体Ｓの到達又は通過により受光強度（受光量）が変化することを原理として搬送媒体Ｓを検出する。
【００３４】
本実施形態の場合、搬送媒体Ｓの先端が媒体検出センサ５０で検出されると、搬送媒体Ｓが重送検出センサ４０により重送を検出可能な位置に到達しているように、上記の媒体検出センサ５０は重送検出センサ４０の近傍においてその下流側に設けられている。
【００３５】
なお、この媒体検出センサ５０は、上記の光学センサに限定されず、例えば、搬送媒体Ｓの端部が検知できるセンサ（イメージセンサ等）を用いてもよいし、経路ＲＴに突出したレバー型のセンサでもよい。
【００３６】
媒体検出センサ５０とは別の媒体検出センサ６０は画像読取ユニット７０よりも上流側で、第２搬送部２０よりも下流側に配置された下流側の検出センサとしての一例であり、第２搬送部２０により搬送される搬送媒体Ｓの位置を検出する。
【００３７】
媒体検出センサ６０としては、種々のものが利用可能であるが、本実施形態の場合、媒体検出センサ５０と同様に光センサであり、発光部６１と受光部６２とを備え、搬送媒体Ｓの到達又は通過により受光強度（受光量）が変化することを原理として搬送媒体Ｓを検出する。なお、本実施形態では、第２搬送部２０の搬送方向上流側と下流側のそれぞれに媒体検出センサ５０、６０を配置したが、何れか一方だけでもよい。
【００３８】
媒体検出センサ６０よりも下流側にある画像読取ユニット７０は、例えば、光学的に走査し、電気信号に変換して画像データとして読み取るものであり、内部にＬＥＤ等の光源、イメージセンサ、レンズアレー等を備えている。
【００３９】
本実施形態の場合、画像読取ユニット７０は経路ＲＴの両側に一つずつ配置されており、搬送媒体Ｓの表裏面を読み取る。しかし、経路ＲＴの片側にのみ一つ配置して、搬送媒体Ｓの片面のみを読み取る構成としてもよい。また、本実施形態では、画像読取ユニット７０を経路ＲＴの両側に対向配置した構造としているが、例えば、経路ＲＴの方向に間隔をあけて配置してもよい。
【００４０】
＜搬送駆動構成＞
次に、図２を参照して、画像読取装置Ａの搬送駆動構成について説明する。図２に示す４１は、上述した、第２搬送部２０および第２搬送部３０を正転／逆転に回転させるための駆動部４を示す。４２は、駆動部４と同軸上に固定された駆動ギアを示す。４５は、駆動ギア４２にギア列を介して接続する第１搬送ギアを示す。第１搬送ギア４５には、同軸上に駆動ローラ２１が固定されている。したがって、駆動ローラ２１と、駆動ローラ２１に接することにより回転する従動ローラ２２とからなる第２搬送部２０が第１搬送ギア４５に接続されていることとなる。
【００４１】
４３は、駆動ギア４２にギア列を介して接続される第２搬送ギアを示す。第２搬送ギア４３には、同軸上に駆動ローラ３１が固定されている。したがって、駆動ローラ３１と、駆動ローラ３１に接することにより回転する従動ローラ３２からなる第２搬送部３０が第２搬送ギア４３に接続されていることとなる。また、４４は、第１搬送ギア４５と第２搬送ギア４３を連結する連結ギアを示す。
【００４２】
なお、本実施形態で示す構成は一例であり、この限りではない。例えば、本発明には、ギア列を構成するギアの数が異なる構成、或いは、タイミングベルトによって連結するなどの構成を適用することができる。
【００４３】
また、本実施形態の画像読取装置Ａは、ＤＣモータ（駆動モータ）等からなる駆動部４が１個設けられている。そして、この駆動部４の駆動力は、各ギア４５、４３、４４を介して、駆動ローラ２１と駆動ローラ３１に回転駆動として伝達される。すなわち、画像読取装置Ａの駆動部４は、駆動ローラ２１と駆動ローラ３１とをそれぞれ同一駆動条件で駆動させるようになっている。
【００４４】
なお、本実施形態では、駆動部を１つのモータで構成した例を説明したが、複数のモータで各ローラを別駆動できるようにしてもよいが、搬送手段と排紙手段とをそれぞれ同時駆動条件で制御することも可能である。
【００４５】
また、本実施形態では、駆動部３と駆動部４とを別のモータで構成した例を説明したが、１つのモータを用い同一駆動条件で駆動させるようにしてもよい。
【００４６】
＜画像読取装置の制御構成＞
図３を参照して制御部８について説明する。図３は画像読取装置Ａの制御部８のブロック図である。
【００４７】
制御部８はＣＰＵ８１、ＲＯＭ８２、ＳＤＲＡＭ８１０、操作部８３、通信部８４、インターフェース部８６、識別画像検出部８８及び情報生成部８９を備える。ＣＰＵ８１はＲＯＭ８２に記憶されたプログラムを実行することにより、画像読取装置Ａ全体の制御を行う。
【００４８】
通信部８４は、外部装置との情報通信を行うインターフェースである。外部装置としてＰＣ（パソコン）を想定した場合、通信部８４としては、例えば、ＵＳＢインターフェースやＳＣＳＩインターフェースを挙げることができる。また、このような有線通信のインターフェースの他、通信部８４は無線通信のインターフェースとしてもよく、有線通信、無線通信の双方のインターフェースを備えていてもよい。
【００４９】
インターフェース部８５はアクチュエータ８６やセンサ８７とのデータの入出力を行うＩ／Ｏインターフェースである。アクチュエータ８６には、駆動部３、駆動部４、伝達部５等が含まれる。センサ８７には、重送検出センサ４０、媒体検出センサ５０及び６０、画像読取ユニット７０等が含まれる。
【００５０】
ＲＯＭ８２は、制御プログラムや後述する識別画像検出時に必要な識別情報等を格納した読取専用のメモリである。ＳＤＲＡＭ８１０は、センサ８７によって取得した画像データを一時格納しておくためのメモリである。操作部８３は、例えば、スイッチやタッチパネル等で構成され、操作者からの操作を受け付ける。
【００５１】
識別画像検出部８８は、ＳＤＲＡＭ８１０に格納された画像データから識別画像を検出する。図７を参照して、識別画像の検出について説明する。以下の説明では、原稿としてパスポートが使用された場合を想定して説明する。なお、本発明は、これに限定されず、任意の原稿が選択されてもよい。
【００５２】
図７は、パスポートの見開き１ページ目の概略図である。１ページ目の旅券情報記載面（読取対象となる冊子片側頁部分）６００には、旅券の種類、番号、発行年月日、有効期間満了の年月日、旅券の名義人の氏名、生年月日、性別、本籍、旅券の発行国、発行地及び発行機関などが記載されている。なお、発行国によって記載内容は異なるが上記の記載情報に限定されるものではない。
【００５３】
また、パスポートの下部（見開いたパスポートのうち折り曲げ側の頁端部）には、機械読み取り式旅券情報６０１が印字されている。機械読み取り式旅券情報６０１は、英数字と「<」の羅列で構成されており、４４桁２行で旅券情報が記載されている。機械読み取り式旅券情報６０１の上段には、型、発行国コード、姓および名前が、下段には旅券番号、国籍、生年月日、性別及び有効期限が記載されている。
【００５４】
識別画像検出部８８は、ＳＤＲＡＭ８１０に格納された画像データに対して、公知の技術を用いて、２値化処理やノイズ除去、傾き補正及びＯＣＲ（Optical Character Recognition： 光学的文字認識）などの処理を実行し、画像から文字列データを抽出する。
【００５５】
次に、ＲＯＭ８２に保管された識別書式情報を用いて、パスポート画像であるかを判断する。認識書式情報は、機械読み取り式旅券情報６０１の書式情報であり、英数字と「<」の配列情報が記録されている。例えば、４４桁２行の旅券情報の１行目は、「型」→「<」→「発行国コード」→「姓」→「<<」→「名」の順に文字列が並んでいる、などの情報である。識別画像検出部８８は、検出した識別画像の識別情報を、ＳＤＲＡＭ８１０に格納する。
【００５６】
情報生成部８９は、識別画像検出部８８が検出した旅券情報を、図８に示すようなＸＭＬ（Extensible Markup Language）形式のデータとして生成する。なお、データ形式は、これに限定されず、ＣＳＶ（Comma separated values）やＪＳＯＮ（JavaScript（登録商標） Object Notation）などの形式でもよい。
【００５７】
また、情報生成部８９は、付加情報として、識別画像検出部８８が検出した旅券情報以外に、画像を読み取ったときの日時やページの読み取り順番、識別画像検出部８８が認識した文字列データも生成できる。なお、画像読取装置Ａの操作者は、情報生成部８９が生成する情報を、画像読取装置Ａが接続された不図示の外部パソコンから選択可能である。
【００５８】
これにより、本実施形態では、キャリアシートを使わずに、パスポートの情報を読取ることができる。したがって、キャリアシートへパスポートを出し入れする必要もなく、パスポート情報の読取作業の効率を向上することができる。
【００５９】
＜第１の搬送方法＞
画像読取装置Ａの基本的な搬送動作について説明する。制御部８は、例えば画像読取装置Ａが接続された不図示の外部パソコンから画像読み取りの開始指示を受信すると、第１乃至第３搬送部１０乃至３０の駆動を開始する。または、画像読取装置Ａが有する操作パネルからユーザ操作を受け付けることで、第１乃至第３搬送部１０乃至３０の駆動を開始するようにしてもよい。
【００６０】
載置台１に積載された搬送媒体Ｓはその最も下に位置する搬送媒体Ｓから１つずつ搬送される。すなわち、この場合には、第１搬送部１０から第２及び第３搬送部２０、３０に向かう方向に搬送媒体Ｓを搬送する。
【００６１】
搬送の途中で搬送媒体Ｓは重送検出センサ４０により重送の有無が判定され、重送が無いと判定されると搬送が継続される。なお、重送があると判定された場合には、搬送を停止するか、第１搬送部１０による後続搬送媒体Ｓの取り込みを停止して、重送状態にある搬送媒体Ｓをそのまま排出するようにしてもよい。
【００６２】
パスポートなどの冊子を搬送するときには、重送と判断され易い。そのため、画像読取装置Ａの操作パネル、又は画像読取装置Ａが接続された外部装置のアプリケーション（画像読取装置を制御するアプリケーション）の何れかにおいて、重送検出の機能をＯＮ／ＯＦＦできる初期設定を設け、予め重送検出をＯＦＦの設定にしておくことが好ましい。
【００６３】
制御部８は、媒体検出センサ６０の検出結果に基づくタイミングで、第２搬送部２０により搬送されてきた搬送媒体Ｓの、画像読取ユニット７０による画像の読み取りを開始し、読み取った画像を一次記憶して順次外部パソコンへ送信する。画像が読み取られた搬送媒体Ｓは第３搬送部３０により排出トレイ２に排出されてその搬送媒体Ｓの画像読取処理が終了する。
【００６４】
＜第２の搬送方法＞
第２の搬送方法は、読み取った画像に対して、識別画像検出部８８が識別画像を検出した場合は、各駆動ローラを逆転駆動させることにより、載置台１に向けて搬送媒体Ｓ（この場合はパスポート）を搬送（逆送）し、給紙口（導入口）１００から搬送媒体Ｓを排出する搬送方法である。
【００６５】
図４から図６を参照して、第２の搬送方法における画像読取装置Ａの動作について説明する。以下の説明では、原稿としてパスポートＰが使用された場合を想定して説明する。なお、本発明は、これに限定されず、任意の原稿が選択されてもよい。
【００６６】
まず、画像の読み取り前に、操作者は、画像読取装置Ａに対して、第２の搬送方向での駆動を指示する。操作者は、操作部８３の不図示の操作パネルから第２の搬送指示を選択可能で有る。また、画像読取装置Ａは、接続された不図示の外部パソコンから第２の搬送指示を受信することもできる。
【００６７】
次に、制御部８は、例えば画像読取装置Ａが接続された不図示の外部パソコンから画像読み取りの開始指示を受信すると、図４に示すように送りローラ１１と駆動ローラ２１及び駆動ローラ３１の正転駆動を開始し、図４のパスポートＰは搬送される。パスポートＰは、見開いた冊子の状態であり、操作者は、各種情報が記載された見開き１ページ目を載置台１側に向けて設置している。
【００６８】
制御部８は、第２搬送部２０により搬送されてきたパスポートＰの見開き１ページ目を、画像読取ユニット７０により画像の読み取りを開始する。読み取った画像はＳＤＲＡＭ８１０に一次記憶する。このとき搬送媒体Ｐの綴じ部は、送りローラ１１まで達していない。そのため、駆動部３は、パスポートＰの綴じ部の厚みが増すことによる負荷の増加がない。
【００６９】
制御部８は、一定の画像を読み取ったら、識別画像検出部８８を使って識別画像の有無を検出する。識別画像検出部８８が識別画像を検出した場合、制御部８は、図５に示すように駆動ローラ２１及び駆動ローラ３１の逆転駆動を開始し、パスポートＰを給紙口１００から排出する。
【００７０】
なお、本実施形態では、パスポートＰの識別画像を読んだ時点では、パスポートＰの綴じ部（段差部分）が分離ローラ１２に当接しないように、送りローラ１１及び分離ローラ１２と画像読取ユニット７０（読取位置）との間の距離が設定されている。
【００７１】
ここで、識別画像検出部８８が識別画像を検出できなかった場合、制御部８は、パスポートＰの搬送を続けてしまう。そのため、本実施形態では、図６に示すように、パスポートＰの綴じ部が、分離ローラ１２に接触し、揺動可能な分離ローラ１２を上に押し上げる。
【００７２】
制御部８は、分離ローラ１２の移動幅を、移動幅検知センサ１３を使って検知し、一定の幅以上に達したときに、パスポートＰの搬送を停止し、図５に示すように駆動ローラ２１及び駆動ローラ３１の逆転駆動を開始し、パスポートＰを給紙口１００から排出する。
【００７３】
つまり、ここでの移動幅検知センサ１３は、搬送媒体の厚み検知手段を兼ねる。移動幅検知センサ１３は、分離ローラ１２と移動幅検知センサ１３が接触することで、移動幅を検知しても良い。または、移動幅検知センサ１３が発する光を分離ローラ１２が移動したことにより遮ったことを検知、一定の幅以上に達したと判断してもよい。これにより、パスポートＰを強引に搬送してしまう事態を防ぐことができる。
【００７４】
＜読取り動作＞
次に、図９を参照して、本発明の特徴的な実施形態である上記第２搬送方法による、帳票原稿とパスポートの読取り動作の処理手順について説明する。以下の説明では、操作者が、帳票原稿を先に読取り、続けてパスポートが読取られた場合を想定して説明する。なお、本発明は、これに限定されず、任意の原稿が選択されてもよい。
【００７５】
なお、以下で説明する処理は、ＣＰＵ８１がＲＯＭ８２に格納された制御プログラムを読み出して実行することにより実現される。
【００７６】
まず、ステップＳ１０１において、画像読取装置Ａが接続された不図示の外部パソコンから画像読み取りの開始指示を受信すると、第１乃至第３搬送部１０乃至３０の駆動を開始し、帳票原稿の搬送を開始する。次にステップＳ１０２において、画像読取ユニット７０による画像の読み取りを行ない、読み取った画像をＳＤＲＡＭ８１０に記憶する。
【００７７】
次に、制御部８は、ステップＳ１０３において、ＳＤＲＡＭ８１０に記憶されている読み取り画像に対して識別画像の検出をまだ行なっていない場合、ステップＳ１０４に進み、ＳＤＲＡＭ８１０に記憶されている読み取り画像が識別可能なサイズの画像かを確認する。制御部８は、ステップＳ１０４において、識別可能な画像サイズの場合、識別画像検出部８８を使って識別画像の検出処理を行なう（ステップＳ１０５）。
【００７８】
制御部８は、ステップＳ１０６において、識別画像を検出できない場合、ステップＳ１１１に進み、画像の終端まで読取ったかを確認する。
【００７９】
制御部８は、まだ残りの画像がある場合、ステップＳ１１４において、原稿の厚みが閾値を超えたか確認する。原稿の厚みが閾値を超えていない場合は、制御部８は、ステップＳ１０２に進み画像の読み取り処理を継続する。
【００８０】
原稿の厚みが閾値を超えた場合は、ステップＳ１１５において、画像の読取りを中止し、駆動ローラ２１及び駆動ローラ３１の逆転駆動を開始し、原稿を給紙口１００から排出する。次に、ステップＳ１１６において、制御部８は、操作部８３の不図示の操作パネルに、識別情報を検知できなかった旨の通知を表示する。
【００８１】
ステップＳ１１１において、画像の終端まで読取っている場合、制御部８は、ＳＤＲＡＭ８１０に記憶されている帳票原稿の画像を、通信部８４を介して、外部パソコンへ送信（出力）する（ステップＳ１１２）。このとき、ＣＰＵ８１の一部の機能が情報出力手段として機能している。
【００８２】
次にステップＳ１１０に進み、制御部８は読取りの終了を確認する。制御部８は、読取りの終了指示もしくは次の原稿が原稿台に設置されるまで待機する。
【００８３】
操作者は、操作部８３の不図示の操作パネルから読取り終了の指示を行なえる。また、画像読取装置Ａは、接続された不図示の外部パソコンから読取り終了指示を受信することもできる。
【００８４】
本実施例では続けてパスポートの読取りを行なうので、制御部８は、ステップＳ１１３において、ステップＳ１０１に戻り、パスポート原稿の搬送処理を開始し、上述したステップＳ１０１からステップＳ１０６までの処理を行なう。
【００８５】
制御部８は、ステップＳ１０６において、識別画像を検出した場合、画像の読取りを中止し、駆動ローラ２１及び駆動ローラ３１の逆転駆動を開始し、パスポート原稿を給紙口１００から排出する（ステップＳ１０８）。
【００８６】
続いて制御部８は、ステップＳ１０９に進み、情報生成部８９で生成し、ＳＤＲＡＭ８１０に記憶されている識別画像の識別情報を、通信部８４を介して、外部パソコンへ送信する。識別情報はテキストデータとして外部パソコンへ出力されても良い。
【００８７】
次にステップＳ１１０に進み、制御部８は、読取りの終了を確認し、読取りの終了指示があった場合、読取り処理を終了する。
【００８８】
（実施形態２）
上述した実施形態１では、パスポートＰの綴じ部が分離ローラ１２を実質的に超えない場合の形態について説明したが、本実施形態では、図１０に示すように、パスポートＰの綴じ部（段差部分）が分離ローラ１２を超えて従動ローラ２２手前まで到達するようにした以外は上述の実施形態１と同様の構成である。なお、図１０では、上述した実施形態１と同一の構成部分には同一符号を付して重複する説明は省略する。
【００８９】
本実施形態では、図１０に示すように、分離ローラ１２には、送りローラ１１に対して接圧状態と非接圧状態との切り替えを行う切替機構Ｘが設けられ、この切替機構Ｘにより、送りローラ１１及び分離ローラ１２の間における接圧状態及び非接圧状態の切替えが可能となっている。図１０では、非接圧状態の図である。
【００９０】
ここで、図１０（ａ）に示すように、分離ローラ１２を非接圧状態として、送りローラ１１を正転駆動すると、送りローラ１１及び分離ローラ１２の間でパスポートＰの冊子部分を挟んで送り力を伝え、見開き状態のパスポートＰが冊子片側頁部分Ｐａを先頭にして画像読取ユニット７０に向かって給送される。このとき、パスポートＰの読取面は、送りローラ１側の面とする。
【００９１】
次に、図１０（ａ）及び図１０（ｂ）に示すように、分離ローラ１２は送りローラ１１に対して予め非接圧状態に切り替えられ、送りローラ１１から離間しているため、パスポートＰの綴じ部は、パスポートＰの給送過程において、分離ローラ１２に対して不必要に接触することを防止することができる。
【００９２】
そして、パスポートＰは、そのまま搬送ローラ２１及び従動ローラ２２の手前まで搬送され、その過程で、冊子片側頁部分Ｐａの先端が搬送ローラ２１と画像読取ユニット７０との間に設けた媒体検知センサ（図１の符号６０）に到達したタイミングに基づいて、画像読取ユニット７０の読取開始タイミングが制御される。
【００９３】
また、パスポートＰの綴じ部が従動ローラ２２に当接することがないように、パスポートＰの綴じ部が従動ローラ２２の手前位置に到達したときにパスポートＰの搬送が一時停止される。この搬送停止制御は、例えば、送りローラ１１と搬送ローラ２１との間に設けた重送検知センサ４０が冊子部分を重送として検知したタイミングから、重送検知センサ４０及び従動ローラ２２（搬送ローラ２１）の距離と、搬送速度との関係で予め定められた時間を経過したタイミングで制御することが可能である。
【００９４】
続いて、図１０（ｃ）に示すように、図中下側の画像読取ユニット７０によって冊子片側頁部分Ｐａが読み取られた後、搬送ローラ２１、３１及び送りローラ１１を逆転駆動させることで、再び載置台側へ戻すことが可能となる。
【００９５】
以上説明したように、本実施形態では、給送手段を構成する送りローラ１１及び分離ローラ１２の軸間距離を切替機構Ｘによって離間させることで、パスポートＰが分離ローラ１２に不必要に衝突することがなく、またパスポートＰの綴じ部が従動ローラ２２に衝突する前に搬送停止を行うようにしたので、衝突時の振動等によって画像読取に影響を与えることなく、高精度な読取処理が可能となる。
【００９６】
また、本実施形態によれば、搬送ローラ２１の手前までパスポートＰの綴じ部を搬送できるため、冊子片側頁部分Ｐａの略全域にわたって広範囲に画像読み取りを行うことができる。例えば、パスポートの下部（折り曲げ側の頁端部）には、機械読み取り式旅券情が印字されている。
【００９７】
機械読み取り式旅券情報は、英数字と「<」の羅列で構成されており、４４桁２行で旅券情報が記載されている。機械読み取り式旅券情報の上段には、型、発行国コード、姓および名前が、下段には旅券番号、国籍、生年月日、性別及び有効期限が記載されている。このようなパスポートの下部まで画像を読み取ることができる。
【００９８】
なお、本実施形態では、パスポートＰの冊子片側頁部Ｐａの画像読取は、図１０（ａ）から図１０（ｂ）への移行（往路）で実行した場合について説明したが、本発明は勿論これに限定されず、例えば、図１０（ｂ）から図１０（ｃ）への移行（復路）で実行するようにしてもよい。
【００９９】
（他の実施形態）
以上、本発明を実施形態１及び２に基づいて詳細に説明したが、本発明は上述した実施形態１及び２に限定されるものではない。
【０１００】
上述した実施形態１及び２では、パスポートの片側頁部分を読み取るにあたり、給送手段側から装置内に取り込み、パスポートの片側頁部分の情報を読み取る例について説明したが、本発明は勿論これに限定されず、例えば、通常の原稿を給送手段側から取り込んだ時に排出される装置の排出口から、搬送手段の逆転駆動によってパスポートの片側頁部分を取り込み、パスポートの綴じ部分が搬送ローラ（排出ローラ）に当接又はその手前で一時停止し、搬送手段を正転駆動に切り替えて排出するようにしてもよい。
【０１０１】
この場合、パスポートの片側頁部分の読取処理は、搬送手段の逆転駆動時（往路）でもよいし、搬送手段の正転駆動時（復路）でもよい。なお、搬送手段の搬送一時停止については、例えば、排出口に設けた排出センサを利用し、排出センサがパスポートの片側頁部分の挿入を検知したタイミングに基づいて、搬送手段の逆転駆動と共に画像読取のタイミングを調整するようにすればよい。
【０１０２】
なお、このような本発明の画像読取装置における他の形態は、次のような構成で特定される。
【０１０３】
具体的な画像読取装置の構成としては、
搬送媒体の導入口が設けられた筐体と、
前記導入口に設けられ、搬送媒体を搬送路内に給送する給送手段と、
前記給送手段の下流側で搬送媒体を前記搬送路に沿って搬送する搬送手段と、
前記搬送手段によって搬送される搬送媒体の画像を読み取る画像読取手段と、
前記搬送手段の駆動を制御する制御手段と、を備え、
前記搬送手段は、前記導入口から導入される搬送媒体を前記画像読取手段に向けて搬送する正転駆動と、前記正転駆動と反対の逆転駆動とが切り替え自在に設けられ、
前記制御手段は、前記搬送手段の逆転駆動によって搬送媒体として見開いた冊子の片側頁部分を前記搬送路の排出口から取り込むと共に前記画像読取手段側に搬送し、前記画像読取手段が前記冊子片側頁部分の画像を読み取った後、前記搬送手段を前記正転駆動に切り替えることを特徴とする。
【０１０４】
例えば、給送手段と画像読取手段との間の搬送路の距離が長くなる場合には、給送手段から画像読取手段までパスポートの搬送を行うことになり、画像読取手段へのアクセスが悪い。これに対し、画像読取手段が導入口よりも排出口側に配置されている構成、すなわち、導入口と画像読取手段との距離よりも画像読取手段と排出口との距離の方が短い構成では、上述したように、冊子の片側頁部分を排出口からアクセスさせた方がパスポートの搬送を最小限にでき、効率的な読取処理を行うことができる。また、この場合であっても、パスポートをキャリアシートに入れなくても、パスポートの情報を読み取ることができる。
【符号の説明】
【０１０５】
３  駆動部４  駆動部１０  第１搬送部１１  送りローラ１２  分離ローラ１３  移動幅検知センサ２０  第２搬送部２１  駆動ローラ２２  従動ローラ３０  第２搬送部３１  駆動ローラ３２  従動ローラ８  制御部８８  識別画像検出部８９  情報生成部
【図１】
2019097057.tif 000003
【図２】
2019097057.tif 000004
【図３】
2019097057.tif 000005
【図４】
2019097057.tif 000006
【図５】
2019097057.tif 000007
【図６】
2019097057.tif 000008
【図７】
2019097057.tif 000009
【図８】
2019097057.tif 000010
【図９】
2019097057.tif 000011
【図１０】
2019097057.tif 000012